(57)【要約】【課題】細かい裁断屑の見かけ上の体積の増大を抑制して効率よく裁断屑を収納可能なシュレッダー装置を提供する。【解決手段】各々の回転カッター５Ａ、５Ｂの下方には、回転カッター５Ａ、５Ｂと平行に２本の加湿ノズル７Ａ、７Ｂが配設されており、裁断部２の上部に取り付けられた加湿エア発生装置９で発生した加湿エアがこれらの加湿ノズル７Ａ、７Ｂに供給されるようになっている。そして、加湿ノズル７には、回転カッター５の裁断可能幅Ｌの範囲内に加湿エア噴出し口１０が複数個取り付けられており、回転カッター５で裁断された裁断屑Ｐのほとんど全てに万遍なく加湿エアが吹き付けられて裁断屑Ｐが加湿されるようになっている。【選択図】図４
2009172538.tif 000002
【特許請求の範囲】
【請求項１】
筐体と、該筐体上部に配置され投入されるシート体を裁断して裁断屑として下方に排出する裁断部と、当該排出された裁断屑を堆積状態で収納する収納部とを備えたシュレッダー装置において、
前記裁断部で裁断された裁断屑を加湿する加湿手段を前記裁断部の下方に備えたことを特徴とするシュレッダー装置。
【請求項２】
請求項１記載のシュレッダー装置において、
前記加湿手段は、加湿エアを噴射する加湿ノズルを備え、前記裁断部で排出され、前記収納部で堆積されるまでの間に落下する裁断屑に対して当該加湿ノズルから加湿エアを噴射して当該裁断屑を加湿することを特徴とするシュレッダー装置。
【請求項３】
請求項２記載のシュレッダー装置において、
前記加湿手段は、前記落下する裁断屑に対して前記加湿ノズルを対向配設し、当該対向配設された加湿ノズルから同時に前記裁断屑に対して加湿エアを噴射して当該裁断屑の両面を加湿することを特徴とするシュレッダー装置。
【請求項４】
請求項２又は３記載のシュレッダー装置において、
前記加湿ノズルを、前記裁断部の前記シート体の裁断幅の範囲内に複数個配置したことを特徴とするシュレッダー装置。
【請求項５】
請求項２乃至４のいずれか１項記載のシュレッダー装置において、
前記加湿ノズルは、前記裁断部で前記シート体を裁断すると同時に加湿エアを噴射するように制御されていることを特徴とするシュレッダー装置。
【請求項６】
請求項１乃至５のいずれか１項記載のシュレッダー装置において、
前記裁断部は、互いに対向して配置され、回転するカッター刃を有する回転カッターであり、当該対向する回転カッターのカッター刃間にシート体を投入して当該カッター刃の回転によって、前記シート体を裁断すると共に、下方に裁断屑として排出することを特徴とするシュレッダー装置。
【発明の詳細な説明】
【技術分野】
【０００１】
本発明は、廃棄用紙、フィルム等のシート体をカッターで裁断すると共に、裁断により生じた裁断屑を収容するための収納部をカッターの下方に備えたシュレッダー装置に関する。
【背景技術】
【０００２】
一般的に、シュレッダー装置では、大型、小型にかかわらず、廃棄用紙等をカッターで細かく裁断した裁断屑をカッターの下方に配置された収納容器（以下、ダストボックス、という）内に備えられたプラスチック製袋内に収納し、所定量の裁断屑がプラスチック製袋内に溜まったところでシュレッダー装置内からダストボックス内のプラスチック製袋を取り出して裁断屑を廃棄するようになっている。
このような裁断屑の廃棄作業が面倒なために、ダストボックス内の裁断屑が満杯になって一旦裁断屑を廃棄しなければ使用し続けられない状態になっても、裁断屑を手等で圧縮して見掛け上の体積を減らしてそのまま使用し続けることが多い。このような裁断屑は、機密文書等の機密性の高い廃棄用紙を裁断して形成される場合には、文書の内容が解読されないように、細く、或いは非常に細かく裁断されて形成され、近年は、個人情報保護法が施行されたことにより更に解読出来ないように裁断サイズはより細かくなっている。
【０００３】
このような細かい裁断屑は、見かけ上の体積がすぐに大きくなりダストボックス内で満杯になり易く、裁断屑の廃棄作業が頻繁になるとこの裁断屑の廃棄作業が煩雑となるので、裁断屑をプラスチック製袋内で手等で圧縮して使用し続けることが頻繁に行われている。このような裁断屑の圧縮作業は煩雑となるだけでなく、裁断屑の圧縮時に裁断屑がプラスチック製袋外に飛散し、飛散した裁断屑を集めて周辺を清掃するという作業も加わり手間を要するという問題を招く。
このような手間を省くために、ダストボックス内に、上端相互間に間隔を持たせ、下部が下広がりとなるように配置した案内板を配設し、この案内板によって、カッターで裁断された裁断屑を分散させてダストボックス内に収容して効率よく堆積できるようにすることが提案されている。（例えば特許文献１参照）
【特許文献１】特開２００２−１８６８７１公報
【発明の開示】
【発明が解決しようとする課題】
【０００４】
しかしながら、この特許文献１記載のものでは、前記裁断屑の圧縮作業を減らすことが可能であるが、細かい裁断屑の見かけ上の体積が増大するという基本的な問題点が解決されていないので、本質的な解決策ということができない。
本発明は、上記実情を考慮してなされたものであり、細かい裁断屑の見かけ上の体積の増大を抑制して効率よく裁断屑を収納可能なシュレッダー装置を提供することを目的とする。
【課題を解決するための手段】
【０００５】
上記課題を解決するために、請求項１の発明は、筐体上部に配置され、上方から投入されるシート体を裁断して裁断屑として下方に排出する裁断部と、当該排出された裁断屑を堆積状態で収納する前記筐体の下部に配置される収納部とを備えたシュレッダー装置において、前記裁断部で裁断された裁断屑を加湿する加湿手段を前記裁断部の下方に備えたことを特徴とする。
また、請求項２の発明は、請求項１記載のシュレッダー装置において、前記加湿手段は、加湿エアを噴射する加湿ノズルを備え、前記裁断部で排出され、前記収納部で堆積されるまでの間に落下する裁断屑に対して当該加湿ノズルから加湿エアを噴射して当該裁断屑を加湿することを特徴とする。
【０００６】
また、請求項３の発明は、請求項２記載のシュレッダー装置において、前記加湿手段は、前記落下する裁断屑に対して前記加湿ノズルを対向して配設し、当該対向配設された加湿ノズルから同時に前記裁断屑に対して加湿エアを噴射して当該裁断屑の両面を加湿することを特徴とする。
また、請求項４の発明は、請求項２又は３記載のシュレッダー装置において前記加湿ノズルは、前記裁断部の前記シート体の裁断幅の範囲内に複数個配置したことを特徴とする。
また、請求項５の発明は、請求項２乃至４のいずれか１項記載のシュレッダー装置において、前記加湿ノズルは、前記裁断部で前記シート体を裁断すると同時に加湿エアを噴射するように制御されていることを特徴とする。
また、請求項６の発明は、請求項１乃至５のいずれか１項記載のシュレッダー装置において、前記裁断部は、互いに対向して配置され、回転するカッター刃を有する回転カッターであり、当該対向する回転カッターのカッター刃間にシート体を投入して当該カッター刃の回転によって、前記シート体を裁断すると共に、下方に裁断屑として排出することを特徴とする。
【発明の効果】
【０００７】
本発明によれば、前記裁断部で裁断された裁断屑を加湿する加湿手段を前記裁断部の下方に備えたことによって、細かい裁断屑の見かけ上の体積の増大を抑制して効率よく裁断屑を収納可能なシュレッダー装置を提供することができる。
【発明を実施するための最良の形態】
【０００８】
本発明者は、細かい裁断屑の見かけ上の体積増に伴う前記圧縮作業回数の低減を図るべく検討の結果、細かい裁断屑の見かけ上の体積増を抑制すれば、前記圧縮作業の回数を低減可能であることに気が付いた。そのため、細かい裁断屑の質量を増加させれば、見かけ上の体積が減少することに着目し、裁断屑を加湿すると裁断屑の質量が増し、裁断屑の見かけ上の体積が減少し、前記圧縮作業の回数を低減できることを究明し、本発明を完成させるに至った。
【０００９】
以下、図面を参照して、本発明の実施形態を詳細に説明する。
図１は本発明による一実施形態のシュレッダー装置の透視外観斜視図、図２は図１におけるシュレッダー装置の裁断部の斜視図、図３は図２のＡ−Ａ線上で切断した場合の裁断状態を示す断面図、図４は図１のＢ−Ｂ線上で切断した場合の裁断状態を示す断面模式図である。
【００１０】
図１に示すように、本実施形態に係るシュレッダー装置は、長方体状の筐体１を備え、筐体１の上部には、シート体である廃棄用紙Ｓを投入する投入口３を有し、投入口３の下方に廃棄書類Ｓを裁断して裁断屑Ｐとして下方に排出する裁断部２を有している。そして、筐体１内の更に下部には、裁断部２により裁断されて排出された裁断屑Ｐを収納する収納部４を有しており、この収納部４上に裁断部２を載置し、裁断部２の周辺部２ａを収納部４の周辺に嵌合させて裁断部２を収納部４上に取り付けている。
収納部４には、図４に示すように、裁断部２で裁断された裁断屑Ｐを堆積状態Ｐ１で収納するプラスチック製袋１１の開口１１ａを開口させた状態で保持するダクトボックス１２が着脱自在に収納されている。そして、プラスチック製袋１１内の裁断屑Ｐが満杯となったときに、図１に示すように、取っ手４ｂを把持して収納部４の前面扉４ａを開き、収納部４からダクトボックス１２を引き出し、ダクトボックス１２からプラスチック製袋１１を取り出して裁断屑Ｐを廃棄するようになっている。
【００１１】
裁断部２には、投入口３の下方に、図４に示すように、モータユニット８によって相互に逆方向（矢印Ｃ方向及びＤ方向）に回転されるカッター刃５ａ（図３参照）（符号なし）を備えた２本の回転カッター５Ａ、５Ｂが互いに対向して取り付けられ、投入口３から投入された廃棄用紙Ｓを細かく裁断すると共に、裁断屑Ｐを下方（Ｂ方向）に落下させるようになっている。また、裁断部２の上部には、図１に示すように、電源のＯＦＦ動作や回転カッター５の自動裁断、強制運転、逆転等の運転を設定するスイッチ６を備えており、スイッチ６を作動させて後述するように、廃棄用紙Ｓの投入口３への投入と同時に回転カッター５が回転して廃棄用紙Ｓを自動裁断可能となっている。
また、各々の回転カッター５Ａ、５Ｂの下方には、図２に示すように、回転カッター５Ａ、５Ｂと平行に２本の加湿ノズル７Ａ、７Ｂが配設されており、裁断部２の上部に取り付けられた加湿エア発生装置９で発生した加湿エアがこれらの加湿ノズル７Ａ、７Ｂに供給されるようになっている。そして、加湿ノズル７には、図３に示すように、回転カッター５の裁断可能幅Ｌの範囲内に加湿エア噴出し口１０が複数個取り付けられており、回転カッター５で裁断された裁断屑Ｐのほとんど全てに万遍なく加湿エアが吹き付けられて裁断屑Ｐが加湿され、吸湿するようになっている。
【００１２】
さらに、２本の加湿ノズル７Ａ、７Ｂには、図４に示すように、これらの加湿ノズル７Ａ、７Ｂの加湿エア噴出し口１０が裁断屑Ｐの落下方向Ｂに対して互いに対向するように取り付けられており、裁断屑Ｐの両側から（図４中の矢印Ｅ方向及びＦ方向）加湿エアを噴射して裁断屑Ｐの両面を加湿することが可能となっている。このように、裁断屑Ｐが加湿されると、裁断屑Ｐの質量が増加して浮遊、飛散することなく、適切にプラスチック製袋１１内に落下して堆積した状態Ｐ１で収納される。しかも紙材からなる裁断屑Ｐは、加湿されて水分を吸収することによって質量が大きくなるだけでなく、裁断によって変形した裁断屑Ｐの形状が水分の吸収によって変形が矯正され、平坦な形状となって見かけ上の体積が減少して効率良く堆積されることになる。従って、裁断屑Ｐを手等で圧縮することなく、満杯になった状態で直ちにプラスチック製袋を廃棄することが可能となる。
【００１３】
さらに、本実施形態におけるシュレッダー装置においては、図４に示すように、投入口３に廃棄用紙Ｓを検知する検知手段１３が取り付けられており、この検知手段１３によって投入口３内に廃棄用紙Ｓが投入されたことを検知して、自動的に回転カッター５が図４に示すように、それぞれ矢印Ｃ及びＤ方向に回転して、廃棄用紙Ｓを裁断し、下方に裁断屑Ｐを落下させる。同時に、検知手段１３からの検知信号に基づいて、制御装置１４によって加湿エア発生装置９を作動させて加湿エアを発生し、加湿ノズル７から加湿エアを裁断屑Ｐに吹き付けて裁断屑Ｐの加湿を行うようになっている。そして、検出手段１３によって廃棄用紙Ｓの投入が完了したことを検知して、回転カッター５の回転動作が停止されると共に、加湿エア発生装置９の加湿エアの発生を停止させるようになっている。このように、加湿エア発生装置９を廃棄用紙Ｓの裁断時のみ作動させるように制御しているので、加湿エア発生装置９の稼動効率が上がり、無駄なく裁断処理を行うことが可能となる。
【００１４】
上記のように、本実施形態におけるシュレッダー装置においては、回転カッター５の下方に、裁断屑を加湿する加湿ノズル７Ａ、７Ｂを配設し、この加湿ノズル７Ａ、７Ｂで裁断屑Ｐを加湿するようにしているので、裁断屑Ｐの見かけ上の体積を減少させて効率良くプラスチック製袋１１内に収納屑Ｐを収納することができる。なお、本実施形態においては、加湿ノズルを対向させた状態で２本使用しているが、１本であっても３本以上であっても良い。しかしながら、本実施形態のように、回転カッター５Ａ、５Ｂと平行状態で、対向して２本の加湿ノズルを使用するときには、落下する裁断屑Ｐの落下方向に偏りなく安定した方向に落下させることが可能となるので好適である。
本発明でいう加湿とは、水分による裁断屑Ｐの湿潤化（吸湿化）だけでなく、アルコール等の他の有機化合物の液体による湿潤化も包含するものである。しかしながら、加湿材として水を使用する場合には、安価で且つ取り扱いが容易となるだけでなく、シート体として紙類を使用する場合に、前述のように、裁断屑Ｐの変形を適切に矯正することが可能となるだけでなく、裁断屑Ｐから再生紙を作成する際に、裁断屑Ｐを溶解する溶媒としてそのまま使用可能なるので好適である。
【００１５】
本実施形態におけるシュレッダー装置においては、加湿ノズル７Ａ、７Ｂによる裁断屑Ｐに対する加湿は、回転カッター５Ａ、５Ｂの下方で、回転カッター５Ａ、５Ｂと裁断屑Ｐの堆積物Ｐ１との間の裁断屑Ｐの落下中に行われるのが望ましい。そのため、回転カッター５Ａ、５Ｂの真下に加湿ノズル７Ａ、７Ｂを配設し、回転カッター５Ａ、５Ｂによって廃棄用紙Ｓが裁断されて裁断屑Ｐが形成されると直ちに裁断屑Ｐが加湿されるようにしている。このように、回転カッター５Ａ、５Ｂの真下に加湿ノズル７Ａ、７Ｂを配設し、回転カッター５Ａ、５Ｂによって廃棄用紙Ｓが裁断されて裁断屑Ｐが形成されると直ちに裁断屑Ｐを加湿するようにすることによって、裁断屑Ｐの飛散が防止されるだけでなく、裁断屑Ｐが浮遊、拡散されない状態で加湿することが可能となるので、効率的に加湿を行うことが可能となるので好適である。
また、本発明によるシュレッダー装置においては、前述の廃棄用紙等の紙材に限らず、プラスチックシート等のプラスチック材からなるシート体であっても有効に使用することが可能である。
また、加湿エア発生装置としては、水等の液体を含有するエア（空気）を発生するものであれば良く、例えば、水を蒸発させた蒸気を空気と混合させた状態で加湿エアを発生させるものや、高圧の液体を加湿ノズルから噴霧するものであっても良い。
【図面の簡単な説明】
【００１６】
【図１】本発明による一実施形態のシュレッダー装置の透視外観斜視図である。
【図２】図１におけるシュレッダー装置の裁断部の斜視図である。
【図３】図２のＡ−Ａ線上で切断した場合の裁断状態を示す断面図である。
【図４】図１のＢ−Ｂ線上で切断した場合の裁断状態を示す断面模式図である。
【符号の説明】
【００１７】
１  筐体、２  裁断部、３  投入口、４  収納部、５Ａ、５Ｂ  回転カッター、５ａ  カッター刃、６  スイッチ、７Ａ、７Ｂ  加湿ノズル、８  モータユニット、９  加湿エア発生装置、１０  加湿エア吹き出し口、１１  プラスチック製袋、１２  ダクトボックス、１３  検知手段、１４  制御装置
【図１】
2009172538.tif 000003
【図２】
2009172538.tif 000004
【図３】
2009172538.tif 000005
【図４】
2009172538.tif 000006